(57)【特許請求の範囲】
【請求項１】
映像メモリと、
記憶媒体に圧縮され保存されている動画映像データを伸長するとともに前記映像メモリに書き込む映像伸長部と、
前記映像メモリから読み出した映像をモニタ部に表示させる表示制御部と、
を備え、
前記表示制御部は、前記映像メモリから読み出した映像を拡大または縮小して前記モニタ部に表示させる拡大縮小部を備え、
前記拡大縮小部は、前記映像伸長部による動画映像データの伸長及び前記映像メモリへの書き込みと並行して前記映像メモリ部から映像を読み出して任意の表示サイズおよび表示位置で前記モニタ部に表示する制御を行う、映像処理装置。
【発明の詳細な説明】
【技術分野】
【０００１】
本発明は、映像信号を動画としてデジタル圧縮した後、映像デ−タをＣＰＵまたは記憶媒体に送り、また、ＣＰＵあるいは記憶媒体からの圧縮された映像デ−タをデジタル伸長させ、同時にモニタ−画面の任意位置および任意サイズで拡大、縮小させた動画表示を実現させる映像処理装置に関する。
【背景技術】
【０００２】
図２を用いて映像処理装置の構成と動作を説明する。映像信号２０を映像デコ−ダ部２１に送り、カラ−信号・輝度信号・同期信号に分離する。カラ−信号・輝度信号はＡＤコンバ−タ２２（以降、ＡＤＣと略称）によりデジタル化し、映像符合圧縮回路部２７で符合圧縮された映像デ−タはＣＰＵ１６とバスライン２９によりＣＰＵ１６または記憶媒体１５に送られる。ＣＰＵ１６または記憶媒体１５から圧縮された映像デ−タはＣＰＵバスライン２９を通じ、映像符合伸長回路部２８に送られてデ−タ伸長される。伸長されたデ−タは映像メモリ２３に書き込まれ、ＤＡコンバ−タ２４（以降、ＤＡＣと略称）でアナログ信号化させ、ビデオスイッチ２５に送られ、ビデオスイッチ２５によりＤＡＣ２４からの信号とコンピュ−タ映像信号２６を切り替える。そこからの映像信号をモニタ−部３１に送られて表示される。そこで、映像信号２０をモニタ−部３１に出力させながらＣＰＵバスライン２９に映像信号を符合圧縮させ、ＣＰＵ１６または記憶媒体１５に送ろうとした場合、映像信号２０を映像デコ−ダ２１、ＡＤＣ２２からデジタル化された映像デ−タを映像符合圧縮回路部２７により符合圧縮させ、ＣＰＵバスライン２９を経由し、ＣＰＵまたは記憶媒体に送られる。映像デコ−ダ部２１の信号を受けて圧縮伸長制御回路部３０は映像符合圧縮回路部２７と映像符合伸長回路部２８を制御している。
【０００３】
次に、先に書き込まれた映像デ−タをＣＰＵまたは記憶媒体からＣＰＵバスライン２９を通じ映像符合伸長回路部２８により符合伸長させ、映像メモリ２３を更新させ、モニタ−部３１に動画として表示される。
【発明の開示】
【発明が解決しようとする課題】
【０００４】
しかし、従来は、圧縮された映像を表示するための技術にはあまり工夫がなされていないのが実情であった。
【課題を解決するための手段】
【０００６】
本発明の映像処理装置は、映像メモリと、記憶媒体に圧縮され保存されている動画映像データを伸長するとともに前記映像メモリに書き込む映像伸長部と、前記映像メモリから読み出した映像をモニタ部に表示させる表示制御部と、を備える。この表示制御部は、前記映像メモリから読み出した映像を拡大または縮小して前記モニタ部に表示させる拡大縮小部を備えている。また、前記拡大縮小部は、前記映像伸長部による動画映像データの伸長及び前記映像メモリへの書き込みと並行して前記映像メモリ部から映像を読み出して任意の表示サイズおよび表示位置で前記モニタに表示する制御を行う。
【０００７】
この映像処理装置によれば、記憶媒体に保存されている所望の映像を伸長しながらモニタ−部に表示することができる。また、拡大縮小部を用いて、任意の表示サイズや任意の表示位置で映像を表示することができる。
【発明を実施するための最良の形態】
【０００８】
図１は、本発明の全体回路ブロック図であり、かかる処理回路については、同一出願人による特開平０２−２９８１７６号公報に詳述され、特に、表示拡大縮小回路部についてはこの公報の第１４図に示されている。
【０００９】
図１において、映像信号１を映像デコ−ダ部２により色成分｛Ｒ色・Ｇ色・Ｂ色またはＹ（輝度）・Ｕ／Ｖ（色相）｝と、水平同期信号・垂直同期信号を得る。得られた色成分はＡＤコンバ−タ３へ送られデジタル信号化される。映像デコ−ダ部２の信号を受けて圧縮伸長制御回路部１９は映像符合圧縮回路部１０と映像符合伸長回路部１１を制御している。デジタル化された映像信号は、短絡状態（ＯＮ）となった絶縁回路部４を介して映像メモリ部５と映像符合圧縮回路部１０の双方に送られており、これらのＡＤコンバ−タ３と映像メモリ部５と映像符合圧縮回路部１０はバスライン１８を介して互いに連結されている。その際、バスライン１８を介して連結されている映像メモリ部と映像符合伸長回路部１１間は、絶縁回路部１２により絶縁状態（ＯＦＦ）となる。そこで、映像メモリ部５とＤＡコンバ−タ６とビデオスイッチ７は表示拡大縮小回路部１４により制御され、モニタ−部８内に任意の表示サイズの表示位置で表示され、コンピュ−タ映像信号９とス−パ−インポ−ズされる。それと同時に、映像符合圧縮回路部１０は絶縁回路部４からの映像信号を符合圧縮し、ＣＰＵバスライン１７を通じてＣＰＵ１６または記憶媒体１５に書き込まれる。その結果、ＣＰＵ１６は専らデータの取り込みに専念できるという大きな特徴をもつことになる。
【００１０】
再生時においては、通信回線などＣＰＵ１６を介した信号または記憶媒体１５からの圧縮符合化された映像デ−タを、映像符合伸長回路部１１により映像信号の符合伸長して、短絡状態（ＯＮ）となった絶縁回路部１２を通り、映像メモリ部５へ送られる。そこで、映像が送られた映像メモリ部５から表示拡大縮小回路部１４で制御された映像メモリ部５，ＤＡコンバ−タ６，ビデオスイッチ７を通り、任意の表示サイズおよび表示位置でモニタ−部８に表示される。その際、ＡＤコンバ−タ３の経路は絶縁回路部４により絶縁状態（ＯＦＦ）となる。この再生時に他のＣＰＵをさらに付加して再生専用に動作させることもできるが、本発明は絶縁回路部４と１２の存在によりそのような必要がない。
【００１１】
本発明により、映像デ−タをモニタ−部８に任意の表示サイズと表示位置で表示させたまま、同時に映像デ−タを圧縮しＣＰＵまたは記憶媒体に書き込むことができる。そのため映像符合圧縮回路部１０とＣＰＵ１６は圧縮制御に専念できるため、映像デ−タのフィ−ルドまたはフレ−ム単位で途切れることなく、確実に書き込めるという効果が有り、さらに、映像符合化させる映像デ−タの解像度も上げられるという効果が得られる。
【００１２】
また、ＣＰＵまたは記憶媒体から読みだされたデータは、指定サイズの映像デ−タを表示拡大縮小回路部１４により、指定サイズに拘らず任意の表示サイズおよび表示位置でモニタ−部８に表示させられ、今後、マルチメディアに対応した映像処理分野ではなくてはならない効果が得られる発明である。
【図面の簡単な説明】
【００１３】
【図１】本発明の回路ブロック図。
【図２】映像処理装置の回路ブロック図。
【符号の説明】
【００１４】
１…映像信号
２…映像デコ−ダ部
３…ＡＤコンバ−タ部
４…絶縁回路部
５…映像メモリ部
６…ＤＡコンバ−タ部
７…ビデオスイッチ部
８…モニタ−部
９…コンピュ−タ映像信号
１０…映像符合圧縮回路部
１１…映像符合伸長回路部
１２…絶縁回路部
１３…デジタイズ制御回路部
１４…表示拡大縮小回路部
１５…記憶媒体
１６…ＣＰＵ
１７…ＣＰＵバスライン
２０…映像信号
２１…映像デコ−ダ部
２２…ＡＤコンバ−タ
２３…映像メモリ部
２４…ＤＡコンバ−タ
２５…ビデオスイッチ部
２６…コンピュ−タ映像信号
２７…映像符合圧縮回路部
２８…映像符合伸長回路部
２９…ＣＰＵバスライン
３０…圧縮伸長制御回路部
３１…モニタ−部
【図１】
0003636196.tif 000002
【図２】
0003636196.tif 000003